(57)【要約】【課題】    多くのユーザからの自席からの短縮ダイヤルなどの登録及び利用を比較的低コストで実現することができるファクシミリ装置を提供すること。【解決手段】  情報処理装置からの宛先識別情報を伴う短縮ダイヤル登録要求を受信しその宛先識別情報を短縮ダイヤル登録テーブルにおいて空いている短縮番号に対応付けて登録し、その登録された短縮番号を少なくとも含む登録完了通知情報を登録要求元の情報処理装置に送信する一方、前記登録された宛先識別情報が対応する短縮番号の入力より指定されて当該宛先識別情報により特定される相手先装置への原稿の文書データの送信が完了した後、または、前記登録された宛先識別情報の登録後一定時間経過した後に当該宛先識別情報の前記短縮ダイヤル登録テーブルにおける登録を抹消することを特徴とする。【選択図】    図２
2005109613.tif 000002
【特許請求の範囲】
【請求項１】
短縮番号が入力されると、その短縮番号に対応して短縮ダイヤル登録テーブルに予め登録されている宛先識別情報により特定される相手先装置に対して、原稿を読み取って得た文書データを送信するファクシミリ装置において、
ネットワークを介して接続された情報処理装置からの宛先識別情報を伴う短縮ダイヤル登録要求を受信する宛先登録受付手段と、
その宛先登録受付手段により受信された宛先識別情報を前記短縮ダイヤル登録テーブルにおいて空いている短縮番号に対応付けて登録する宛先登録手段と、
その宛先登録手段により登録された短縮番号を少なくとも含む登録完了通知情報を登録要求元の情報処理装置に前記ネットワークを介して送信する登録完了通知手段と、
前記宛先登録手段により登録された宛先識別情報が対応する短縮番号の入力より指定されて当該宛先識別情報により特定される相手先装置への原稿の文書データの送信が完了した後、または、前記宛先登録手段により登録された宛先識別情報が登録後一定時間経過した後に当該宛先識別情報の前記短縮ダイヤル登録テーブルにおける登録を抹消する登録管理手段と
を備えたことを特徴とするファクシミリ装置。
【請求項２】
ワンタッチキーが選択されると、そのワンタッチキーに対応してワンタッチダイヤル登録テーブルに予め登録されている宛先識別情報により特定される相手先装置に対して、原稿を読み取って得た文書データを送信するファクシミリ装置において、
ネットワークを介して接続された情報処理装置からの宛先識別情報を伴うワンタッチダイヤル登録要求を受信する宛先登録受付手段と、
その宛先登録受付手段により受信された宛先識別情報を前記ワンタッチダイヤル登録テーブルにおいて空いているワンタッチキーに対応付けて登録する宛先登録手段と、
その宛先登録手段により登録されたワンタッチキーを識別するための情報を少なくとも含む登録完了通知情報を登録要求元の情報処理装置に前記ネットワークを介して送信する登録完了通知手段と、
前記宛先登録手段により登録された宛先識別情報が対応するワンタッチキーの選択により指定されて当該宛先識別情報により特定される相手先装置への原稿の文書データの送信が完了した後、または、前記宛先登録手段により登録された宛先識別情報が登録後一定時間経過した後に当該宛先識別情報の前記ワンタッチダイヤル登録テーブルにおける登録を抹消する登録管理手段と
を備えたことを特徴とするファクシミリ装置。
【請求項３】
ワンタッチキーが選択されると、そのワンタッチキーに対応してワンタッチダイヤル登録テーブルに予め登録されている１つまたは複数の宛先識別情報によりそれぞれ特定される１つまたは複数の相手先装置に対して、原稿を読み取って得た文書データを順次送信するファクシミリ装置において、
ネットワークを介して接続された情報処理装置からの１つまたは複数の宛先識別情報を伴うワンタッチダイヤル登録要求を受信する宛先登録受付手段と、
その宛先登録受付手段により受信された１つまたは複数の宛先識別情報を前記ワンタッチダイヤル登録テーブルにおいて空いているワンタッチキーに対応付けて登録する宛先登録手段と、
その宛先登録手段により登録されたワンタッチキーを識別するための情報を少なくとも含む登録完了通知情報を登録要求元の情報処理装置に前記ネットワークを介して送信する登録完了通知手段と、
前記宛先登録手段により登録された１つまたは複数の宛先識別情報が対応するワンタッチキーの選択により指定されて当該１つまたは複数の宛先識別情報により特定される１つまたは複数の相手先装置への原稿の文書データの順次の送信が完了した後、または、前記宛先登録手段により登録された１つまたは複数の宛先識別情報が登録後一定時間経過した後に当該１つまたは複数の宛先識別情報の前記ワンタッチダイヤル登録テーブルにおける登録を抹消する登録管理手段と
を備えたことを特徴とするファクシミリ装置。
【請求項４】
前記宛先登録受付手段により受信された宛先識別情報の記号列が、自装置が管理する宛先識別情報として許されない記号を含む場合には登録不可通知情報を登録要求元の情報処理装置に前記ネットワークを介して送信する登録不可通知手段を更に備えたことを特徴とする請求項１ないし３のいずれかに記載のファクシミリ装置。
【請求項５】
前記ネットワークを介した前記情報処理装置とのやりとりは、ＨＴＴＰプロトコルにより行われることを特徴とする請求項１ないし４のいずれかに記載のファクシミリ装置。
【発明の詳細な説明】
【技術分野】
【０００１】
本発明は、ファクシミリ装置に関し、特に、短縮ダイヤル機能やワンタッチダイヤル機能を備えたファクシミリ装置に関する。
【背景技術】
【０００２】
近年の情報処理装置としてのＰＣ（パーソナルコンピュータ）の普及に伴って、電子メールの利用が拡大している。
【０００３】
しかし、電子メールによる文書データの送信は、ＰＣを起動し、電子メールアプリケーションを起動し、宛先のメールアドレスを入力、または、選択し、メール本文を入力、または／及び、文書ファイルを添付して送信するといったように、やや煩雑な手順を要する。
【０００４】
また、送信元のＰＣからのメールの直接の送信先は、メールサーバであり、送信元のＰＣにおいてメール送信が正常に完了したといっても、その完了は、メールサーバに送信メールが蓄積されたことの確認にしかならず、その先のメールサーバから最終的な宛先のＰＣなどのネットワーク端末への転送・配信が正しく行われたことを示すものではない。
【０００５】
これに対して、従来から広く使用されてきたファクシミリ装置は、送信文書となる紙の原稿を持ったユーザが、ファクシミリ装置の設置場所に赴き、原稿をスキャナにセットし、操作パネルの操作により、宛先のファクシミリ番号を直接入力、または、宛先のファクシミリ番号に対応する短縮番号を［短縮］キーの押下操作と組み合わせて入力したり（短縮ダイヤル）、宛先のファクシミリ番号に直接対応するワンタッチキーを押下して選択することにより指定して（ワンタッチダイヤル）、送信開始を指示する［スタート］キーを押下すれば、送信操作が完了するという、非常に簡単な操作で宛先指定・送信を行うことができる。
【０００６】
その送信は、受信側のファクシミリ装置と送信側のファクシミリ装置とが直接ファクシミリプロトコルをやりとりして行われるため、ファクシミリ送信の成功が、すなわち、受信側のファクシミリ装置に文書を確実に送れたことを示すことになり、非常に信頼性が高く安心感もあるという利点があり、電子メール利用の広がった今日においても、ファクシミリ装置は有効に利用されている。
【０００７】
一般に企業などにおいては、ファクシミリ装置により送信しようとする文書は、各個人が自分の席で白紙や定型文を印刷済みの用紙（送信票など）に手書きで内容を記入したり、ＰＣの文書作成アプリケーションソフトウェアなどでタイプ入力してプリンタにより用紙に印刷したり、その印刷した文書に手書きの内容を追記したり、別途手書きの図をつけ加えるなどして作成される。
【０００８】
そして、その作成された文書原稿を持ったユーザが、ファクシミリ装置の設置場所に赴いて、前述の送信操作をして送信することになる。
【０００９】
しかし、企業で使用されるファクシミリ装置においては、例えば数十人といった多数のユーザにより利用され、それら多数のユーザの各自は、よく文書を送信する宛先をいくつか持っている。
【００１０】
そのため、それら多数のユーザのそれぞれについて、前述したような短縮ダイヤルやワンタッチダイヤルの登録、つまり、各短縮番号やワンタッチキー番号に対応した宛先ファクシミリ番号や宛先名称文字列などの付加的な情報の登録を行うとすると、登録可能なメモリ容量の制限から登録しきれなかったり、登録できたとしても、管理が煩雑となり、登録した情報を有効に利用できなかったりして、結局は、ユーザ各自が宛先の名刺や自分のＰＣで管理しているアドレス帳の情報を覚えたりメモしたりアドレス帳そのものを持参した上でファクシミリ装置の所に赴いてファクシミリ送信を行うこになってしまうため、送信操作に手間がかかるばりでなく、宛先ファクシミリ番号の誤入力も発生しやすいという問題点があった。
【００１１】
また、ファクシミリ装置の中にはＬＡＮなどのネットワークにも接続されて、そのネットワーク経由で他のＰＣなどの情報処理装置から短縮ダイヤルやワンタッチダイヤルの設定情報などを転送・登録できる機能を備えたものもあるが、短縮番号やワンタッチキー番号と、対応して登録する宛先ファクシミリ番号などの情報との対応付けには、確実な整合性が要求される一方、単にファクシミリ装置により文書を送信するに過ぎない多数の一般ユーザには、そのネットワーク経由の登録が許されず、限られた管理者や同等の権限のある担当者のみしかその登録作業を行えなかった。
【００１２】
本願発明に近い従来技術としては、特許文献１がある。これは、ファクシミリ装置での操作で、ファクシミリ装置がＰＣからワンタッチ情報を取得し、ファクシミリ装置の表示部にワンタッチ情報を表示するものである。
【００１３】
【特許文献１】特開平１０−０３２７０１号公報
【発明の開示】
【発明が解決しようとする課題】
【００１４】
しかし、上記従来技術では、ワンタッチ登録数が多いと、その宛先を探すのが大変であるといった欠点がある。また、この発明では、使い勝手をよくするためには表示領域（表示可能な文字数など）も多く必要で、タッチパネルの様な高価な表示部とワンタッチキーを兼ねたものであることが望ましく、コストがかかるといった欠点があった。
【００１５】
本発明は、係る事情に鑑みてなされたものであり、ユーザが席にいながらにしてファクシミリ装置の短縮ダイヤルやワンタッチダイヤルの登録を行ってそれらのダイヤル機能をファクシミリ装置において利用できるばかりでなく、多くのユーザからのそのような自席からの短縮ダイヤルやワンタッチダイヤルの登録及びファクシミリ装置における利用を比較的低コストで実現することができるファクシミリ装置を提供することを目的とする。
【課題を解決するための手段】
【００１６】
請求項１に記載のファクシミリ装置は、短縮番号が入力されると、その短縮番号に対応して短縮ダイヤル登録テーブルに予め登録されている宛先識別情報により特定される相手先装置に対して、原稿を読み取って得た文書データを送信するファクシミリ装置において、ネットワークを介して接続された情報処理装置からの宛先識別情報を伴う短縮ダイヤル登録要求を受信する宛先登録受付手段と、その宛先登録受付手段により受信された宛先識別情報を前記短縮ダイヤル登録テーブルにおいて空いている短縮番号に対応付けて登録する宛先登録手段と、その宛先登録手段により登録された短縮番号を少なくとも含む登録完了通知情報を登録要求元の情報処理装置に前記ネットワークを介して送信する登録完了通知手段と、前記宛先登録手段により登録された宛先識別情報が対応する短縮番号の入力より指定されて当該宛先識別情報により特定される相手先装置への原稿の文書データの送信が完了した後、または、前記宛先登録手段により登録された宛先識別情報が登録後一定時間経過した後に当該宛先識別情報の前記短縮ダイヤル登録テーブルにおける登録を抹消する登録管理手段とを備えたことを特徴とする。
【００１７】
請求項２に記載のファクシミリ装置は、ワンタッチキーが選択されると、そのワンタッチキーに対応してワンタッチダイヤル登録テーブルに予め登録されている宛先識別情報により特定される相手先装置に対して、原稿を読み取って得た文書データを送信するファクシミリ装置において、ネットワークを介して接続された情報処理装置からの宛先識別情報を伴うワンタッチダイヤル登録要求を受信する宛先登録受付手段と、その宛先登録受付手段により受信された宛先識別情報を前記ワンタッチダイヤル登録テーブルにおいて空いているワンタッチキーに対応付けて登録する宛先登録手段と、その宛先登録手段により登録されたワンタッチキーを識別するための情報を少なくとも含む登録完了通知情報を登録要求元の情報処理装置に前記ネットワークを介して送信する登録完了通知手段と、前記宛先登録手段により登録された宛先識別情報が対応するワンタッチキーの選択により指定されて当該宛先識別情報により特定される相手先装置への原稿の文書データの送信が完了した後、または、前記宛先登録手段により登録された宛先識別情報が登録後一定時間経過した後に当該宛先識別情報の前記ワンタッチダイヤル登録テーブルにおける登録を抹消する登録管理手段とを備えたことを特徴とする。
【００１８】
請求項３に記載のファクシミリ装置は、ワンタッチキーが選択されると、そのワンタッチキーに対応してワンタッチダイヤル登録テーブルに予め登録されている１つまたは複数の宛先識別情報によりそれぞれ特定される１つまたは複数の相手先装置に対して、原稿を読み取って得た文書データを順次送信するファクシミリ装置において、ネットワークを介して接続された情報処理装置からの１つまたは複数の宛先識別情報を伴うワンタッチダイヤル登録要求を受信する宛先登録受付手段と、その宛先登録受付手段により受信された１つまたは複数の宛先識別情報を前記ワンタッチダイヤル登録テーブルにおいて空いているワンタッチキーに対応付けて登録する宛先登録手段と、その宛先登録手段により登録されたワンタッチキーを識別するための情報を少なくとも含む登録完了通知情報を登録要求元の情報処理装置に前記ネットワークを介して送信する登録完了通知手段と、前記宛先登録手段により登録された１つまたは複数の宛先識別情報が対応するワンタッチキーの選択により指定されて当該１つまたは複数の宛先識別情報により特定される１つまたは複数の相手先装置への原稿の文書データの順次の送信が完了した後、または、前記宛先登録手段により登録された１つまたは複数の宛先識別情報が登録後一定時間経過した後に当該１つまたは複数の宛先識別情報の前記ワンタッチダイヤル登録テーブルにおける登録を抹消する登録管理手段とを備えたことを特徴とする。
【００１９】
請求項４に記載のファクシミリ装置は、請求項１ないし３のいずれかに記載のファクシミリ装置において、前記宛先登録受付手段により受信された宛先識別情報の記号列が、自装置が管理する宛先識別情報として許されない記号を含む場合には登録不可通知情報を登録要求元の情報処理装置に前記ネットワークを介して送信する登録不可通知手段を更に備えたことを特徴とする。
【００２０】
請求項５に記載のファクシミリ装置は、請求項１ないし４のいずれかに記載のファクシミリ装置において、前記ネットワークを介した前記情報処理装置とのやりとりは、ＨＴＴＰプロトコルにより行われることを特徴とする。
【発明の効果】
【００２１】
請求項１に係る発明によれば、これから本発明に係るファクシミリ装置の設置場所まで送信原稿をもって赴いて短縮ダイヤルにより宛先を指定してファクシミリ送信しようとするユーザが、自分の席にいながらにして、短縮ダイヤルの登録を行うことができ、また、その登録は、ずっと継続されるのではなく、その登録された短縮番号を指定したファクシミリ送信が完了した後、または、登録されてから一定時間経過した後に自動的に抹消されるため、空きの短縮番号が無くなってしまうこともない。そのため、ユーザは座席で送信原稿の加工をしつつ、座席にてシステム手帳やアドレス帳や名刺ホルダー、個人用ＰＣなどのアドレス帳ツールなどを参照して原稿を送信したい相手先の宛先識別情報（ファクシミリ番号など）を確認しながら短縮ダイヤルの登録ができ、本発明に係るファクシミリ装置の設置場所までわざわざアドレス帳を持参して直接ダイヤルするような手間を省いたファクシミリ送信時の宛先指定が可能となるばかりでなく、多くのユーザが本発明に係るファクシミリ装置の短縮ダイヤル機能を有効に利用することが可能となる効果が得られる。
【００２２】
請求項２に係る発明によれば、これから本発明に係るファクシミリ装置の設置場所まで送信原稿をもって赴いてワンタッチダイヤルにより宛先を指定してファクシミリ送信しようとするユーザが、自分の席にいながらにして、ワンタッチダイヤルの登録を行うことができ、また、その登録は、ずっと継続されるのではなく、その登録されたワンタッチキーを選択したファクシミリ送信が完了した後、または、登録されてから一定時間経過した後に自動的に抹消されるため、空きのワンタッチキーが無くなってしまうこともない。そのため、ユーザは座席で送信原稿の加工をしつつ、座席にてシステム手帳やアドレス帳や名刺ホルダー、個人用ＰＣなどのアドレス帳ツールなどを参照して原稿を送信したい相手先の宛先識別情報（ファクシミリ番号など）を確認しながらワンタッチダイヤルの登録ができ、本発明に係るファクシミリ装置の設置場所までわざわざアドレス帳を持参して直接ダイヤルするような手間を省いたファクシミリ送信時の宛先指定が可能となるばかりでなく、多くのユーザが本発明に係るファクシミリ装置のワンタッチダイヤル機能を有効に利用することが可能となる効果が得られる。
【００２３】
請求項３に係る発明によれば、これから本発明に係るファクシミリ装置の設置場所まで送信原稿をもって赴いてワンタッチダイヤルにより１つまたは複数の宛先を指定してファクシミリ送信しようとするユーザが、自分の席にいながらにして、ワンタッチダイヤルの登録を行うことができ、また、その登録は、ずっと継続されるのではなく、その登録されたワンタッチキーを選択した１つまたは複数のファクシミリ送信が完了した後、または、その１つまたは複数の宛先が登録されてから一定時間経過した後に自動的に抹消されるため、空きのワンタッチキーが無くなってしまうこともない。そのため、ユーザは座席で送信原稿の加工をしつつ、座席にてシステム手帳やアドレス帳や名刺ホルダー、個人用ＰＣなどのアドレス帳ツールなどを参照して原稿を送信したい１つまたは複数の相手先の宛先識別情報（ファクシミリ番号など）を確認しながらワンタッチダイヤルの登録ができ、本発明に係るファクシミリ装置の設置場所までわざわざアドレス帳を持参して１つまたは複数の宛先を個々に直接ダイヤルするような手間を省いたファクシミリ送信時の宛先指定が可能となるばかりでなく、多くのユーザが本発明に係るファクシミリ装置の１つまたは複数の宛先への送信を１つのワンタッチキーの選択により指定するワンタッチダイヤル機能を有効に利用することが可能となる効果が得られる。
【００２４】
請求項４に係る発明によれば、前記ネットワーク上の情報処理装置からの登録要求に係る宛先識別情報が自装置において許される形式を満たしていない場合、具体的には、例えば、宛先識別情報がファクシミリ番号で数字や「−」のみが許されるのに、アルファベットが含まれているような場合には、登録不可通知情報が当該情報処理装置に送信され、その情報処理装置においてディスプレイ表示されるなどしてユーザにより認識されるため、これから本発明に係るファクシミリ装置の設置場所まで送信原稿をもって赴いてファクシミリ送信しようとするユーザが自分の席上のパーソナルコンピュータなどの情報処理装置を操作してファクシミリ番号などの宛先識別情報を指定した際の入力誤りを当該ユーザに席にいながらにして認識させて、請求項１ないし３のいずれかに対応する登録操作のやり直しなどの適切な対応をとらせて、せっかく本発明に係るファクシミリ装置の設置場所まで赴いても情報処理装置における宛先識別情報の入力ミスのために所望の宛先に原稿文書送信できないような不便が生じることがないようにすることが可能となる効果が得られる。
【００２５】
請求項５に係る発明によれば、本発明に係るファクシミリ装置と情報処理装置とのネットワークを介したやりとりがＨＴＴＰプロトコルにより行われるため、前記情報処理装置において、本発明に係るファクシミリ装置との短縮ダイヤルやワンタッチダイヤルのネットワークを介した登録に関して汎用的なＷＥＢブラウザを用いることも可能となるという効果が得られる。
【発明を実施するための最良の形態】
【００２６】
以下、添付図面を参照しながら、本発明を実施するための最良の形態について説明する
【００２７】
まず、図１に、本発明を実施するための最良の形態に係るファクシミリ装置１を含む通信システム構成について示す。
【００２８】
同図において、ファクシミリ装置１は、ＰＳＴＮ２００または／及びＩＳＤＮ３００に接続され、ＰＳＴＮ２００上のＧ３ファクシミリであるファクシミリ装置２０１や、ＩＳＤＮ３００上のＧ４ファクシミリであるファクシミリ装置３０１などの相手先装置に対して、原稿の文書データを送信する。
【００２９】
一方、ファクシミリ装置１は、ネットワークとしてのＬＡＮ１００にも接続され、ＬＡＮ１００上の情報処理装置としてのパーソナルコンピュータ（ＰＣ）１０１ａ、ｂ、ｃなどの接続されている。なお、ＬＡＮ１００には、サーバ装置１０２が接続されている。サーバ装置１０２は、ＬＡＮ１００上のファクシミリ装置１、ＰＣ１０１ａ、ｂ、ｃ等に対して、ＤＮＳ(Domain Name System)により与えられたホスト名に対するＩＰアドレスを回答したり、ＳＭＴＰによりメール送信サービスを提供したり、ＰＯＰ３によりメール受信サービスを提供したりするための情報処理装置である。
【００３０】
図２に、本発明を実施するための最良の形態に係るファクシミリ装置１のブロック構成について示す。
【００３１】
同図において、ＣＰＵ２は、ＲＡＭ４を作業領域として使用しつつ、ＲＯＭ３に書き込まれた制御プログラムに基づいて装置部を制御したり、各種データ処理したり、ファクシミリ管理処理を行ったり、プロトコル制御を行う中央演算処理装置である。
【００３２】
ＲＯＭ３は、ＣＰＵ２が装置各部を制御するための制御プログラムや、各文字コードに対応するフォントデータなどの制御に必要な各種データが記憶されるリードオンリメモリである。プログラムが膨大になる場合には、ＲＯＭ３のほかに磁気ディスク装置などを搭載しそこにプログラムを格納することも可能であり、後に説明する画像メモリ部６として磁気ディスク装置を用いる場合には共通化することも可能である。
【００３３】
ＲＡＭ４は、前述したようにＣＰＵ２の作業領域として使用されるランダムアクセスメモリである。
【００３４】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００３５】
画像メモリ６は、未処理の送受信文書データなどの大容量のデータを記憶するためのもので、磁気ディスク装置や、ＳＲＡＭモジュールや、カードスロットに挿入されるメモリカードなどにより構成される。
【００３６】
時計回路７は、現在の日付及び時刻を常に計時しているもので、ＣＰＵ２は、システムバス１６を介して時計回路７を読み出すことで、現在の日時（日付と時刻）を知ることができる。
【００３７】
操作表示部８は、ユーザからの操作入力を受け入れるための各種キーが配設される一方、液晶表示装置等の表示器を備え、ユーザに知らせるべき装置の動作状態や、各種メッセージを表示するものである。
【００３８】
書込部９は、画像データを記録紙に印刷出力するためのものである。書込部９は、具体的には、サーマル素子を利用したサーマル記録装置であり、ＣＰＵ２からシステムバス１６を介して渡された生の（圧縮符号化されていない）データを感熱記録紙に直接、あるいは、普通記録紙にインクシートを介して間接的に画像を記録する。なお、書込装置としては、サーマル記録装置に限定されるものではなく、電子写真方式、インクジェット方式、トナージェット方式など、記録紙にイメージを記録できるものであればいずれの方式を適用してもよい。
【００３９】
また、書込部９がページメモリを有し、ＣＰＵ２から書き込み指定された、画像メモリ６に蓄積されている印刷対象の文書ファイルをページごとにそのページメモリに蓄積し、順次書き込むようにしてもよい。また、書込部９に、圧縮符号化された文書データを伸張処理する画像処理機能を付加すれば、印刷対象の文書データは圧縮データのまま受けとれ、伸張して生データとしてページメモリに展開した上で印刷出力することができる。
【００４０】
読取部１０は、セットされた原稿を読み取って文書画像データを得るためのものである。読取部１０としては、たとえばＣＣＤ(Charge Coupled Device)を利用したイメージスキャナが使用されていて、セットされた原稿を図示しないコンタクトガラス上に順位搬送載置した上で走査して原稿のイメージを読み取り、文書画像データを得る。
【００４１】
画像処理部１１は、生データの符号化圧縮、及び、符号化された圧縮データの復号伸張の符号化復号化処理や、２値化処理、変倍処理、縮小拡大処理、画像補正処理、送信日時や受信日時の文字列情報などの付加情報の付加処理Ｓなどの、ファクシミリ装置１において扱う画像データに関する各種画像処理を行う。
【００４２】
なお、画像処理部１１の機能を、通信制御部１４、通信制御部（Ｇ４）１３、読取部９，書込部１１がそれぞれ個別に持っている構成であってもよい。
【００４３】
ＮＩＣ（Network Interface Card）部１２は、イーサネットのＬＡＮ１００に接続され、イーサネットプロトコル上でのＴＣＰ／ＩＰプロトコルのやりとりにより、その上位のＨＴＴＰ（HyperText Transfer Protocol）による各種情報のやりとりなどを行えるようにするためのものである。
【００４４】
通信制御部１３は、ＩＳＤＮ２００、具体的には、ＩＮＳネット６４／デジタル交換内線の網と接続させ、相手側通信端末との通信の制御を行う。通信制御部１３は、ＬＡＰＤ（Link Access  Procedure on the D-channel）、ＬＡＰＢ（Link Access Procedure Balanced）コントローラを有し制御を行う。なお、通信制御部１３が接続される通信回線をここではＩＳＤＮとしているが、通信制御部１４と同様にＰＳＴＮに対応したものでも良い。但しこの場合は、ＮＣＵ（Network Control Unit）部１５と同等のＮＣＵを必要とする。
【００４５】
通信制御部１４は、ＮＣＵ部１５を介してＰＳＴＮ２００、具体的には、加入電話回線／自営構内回線の網と接続され、相手側通信端末との通信の制御を行う。その通信制御部５は、ＮＣＵ部１５を制御し、ＮＣＵ部１５にて検出されたリンギング電圧のパルスの検出や、ＤＴＭＦ信号の検出、トーン信号の検出、送信時の発呼を行う。通信制御部５は、モデムを有しており、相手側通信端末より受信した受信データ（変調されている）を復調したり、逆に、送信時の送信データを変調し送信したりする。具体的には、ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。
【００４６】
ＮＣＵ部１５は通信制御部１４はＰＳＴＮ（一般公衆網）と接続し、回線の閉結や、呼び出し信号（リンギング）の検出などをおこなう。
【００４７】
システムバス１６は、上記各部がデータをやり取りするためのデータバス・アドレスバス・制御バス、割り込み信号ラインなどにより構成される信号ラインである。
【００４８】
図３に、ファクシミリ装置１の操作表示部８の配置構成について示す。
【００４９】
同図において、テンキー８ａは、数字や「＃」「＊」の各記号を入力するためのものである。［Ｙｅｓ］キー８ｂは、表示器８ｊに表示された内容に対して肯定的な操作入力を行ためのものである。［Ｎｏ］キー８ｃは、表示器８ｊに表示された内容に対して否定的な操作入力を行うためのものである。
【００５０】
［ストップ］キー８ｄは、装置動作の強制的な中断を指示したりするためのものである。［スタート］キー８ｅは、送信開始などの各種装置動作の開始を指示するためのものである。［ファンクション］キー８ｆは、その押下操作と、テンキー８ａによる番号入力操作との組み合わせにより、各種設定・登録機能を呼び出したりするためのものである。
【００５１】
矢印キー群８ｇは、［↑］キー８ｇｕ、［↓］キー８ｇｄ、［→］キー８ｇｒ、及び、［←］キー８ｇｌにより構成され、表示器８ｊに表示され選択項目のうちの特定項目を選択したり、表示器８ｊの表示を上下左右にスクロールさせたりするためのものである。
【００５２】
ワンタッチキー群８ｈは、番号０１ないし２０にそれぞれ対応したキーの集まりとして構成されている。番号０１ないし２０は、２０個のキーを互いに識別するための記号であり、アルファベットのＡないしＴなどの他の記号により識別するものであってもよい。
【００５３】
［短縮］キー８ｉは、２桁の番号で宛先指定できる短縮ダイヤルのためのものである。表示器８ｊは液晶表示器などにより構成され、装置の動作状態や各種メッセージを表示するためのものである。
【００５４】
なお、操作表示部８に配設される各種キーは、押下によりＯＮまたはＯＦＦされる機械的なキーに限らず、タッチパネルキーなどのその他の形態のものであってもよく、要するにユーザによる操作入力を受け入れられるものであればどのような形態であってもよい。
【００５５】
図４に、ファクシミリ装置１におけるプロトコルスタックについて示す。
【００５６】
同図において、「物理層」及び「データリンク層」は、「イーサネット」で、ＮＩＣ部１２に相当するものであり、「ネットワーク層」の「ＩＰ」プロトコルから渡された、ＭＡＣヘッダとＭＡＣデータとからなるＭＡＣパケットの先頭にプリアンブル及びスタート・フレーム・デリミタを付加すると共にＭＡＣパケットの末尾にフレームチェックシーケンスＦＣＳを付加して、電気信号としてＬＡＮ１００に送出する一方、ＬＡＮ１００を介して電気信号として受信した自装置のＭＡＣアドレス宛のＭＡＣパケットをデジタルデータとして取得して、「ネットワーク層」の「ＩＰ」プロトコルに渡す。
【００５７】
「ネットワーク層」の「ＩＰ」プロトコルは、ＣＰＵ２が実行する「ＩＰ」プロトコルのプログラムに相当するものであり、「トランスポート層」の「ＴＣＰ」または「ＵＤＰ」プロトコルから渡された、ＴＣＰ（ＵＤＰ）ヘッダとＴＣＰ（ＵＤＰ）データとからなるＴＣＰ（ＵＤＰ）パケットをＩＰデータの内容として埋め込むと共に、そのＩＰデータにＩＰヘッダを付加して構成されるＩＰパケットを、ＭＡＣデータの内容として埋め込み更に、ＭＡＣデータにＭＡＣヘッダを付加することにより構成したＭＡＣパケットを、前述したように、「イーサネット」に渡す。一方、「イーサネット」から渡されたＭＡＣパケットを構成するＭＡＣデータからＩＰパケットを取り出し、そのＩＰパケットを構成するＩＰデータからＴＣＰ（ＵＤＰ）パケットを取り出して、「トランスポート層」の「ＴＣＰ」または「ＵＤＰ」プロトコルに渡す。
【００５８】
「トランスポート層」の「ＴＣＰ」プロトコルは、ＣＰＵ２が実行する「ＴＣＰ」プロトコルのプログラムに相当するものであり、「セッション層」、「プレゼンテーション層」及び「アプリケーション層」を構成する、ＨＴＴＰのＷｅｂサーバ機能（ポート番号８０）などの所定の送信元ポート番号とリンクされたアプリケーションプログラムから渡されたデータを、ＴＣＰヘッダとＴＣＰデータとからなるＴＣＰパケットのＴＣＰデータとして埋め込んで、「ＩＰ」プロトコルに渡す一方、「ＩＰ」プロトコルから渡されたＩＰパケットからＴＣＰヘッダ及びＴＣＰデータからなるＴＣＰパケットを取り出して、ＴＣＰヘッダに記述されている宛先ポート番号に対応する上位の「アプリケーション」にＴＣＰデータを渡す。「ＵＤＰ」も「ＴＣＰ」と類似のデータのやりとりを行う。
【００５９】
図５に、ファクシミリ装置１のＥＥＰＲＯＭ５の記憶内容のうちの本発明に特に関連するものについて示す。
【００６０】
同図において、記憶領域５ａ、５ｂ、及び、５ｃには、それぞれ、短縮ダイヤル登録テーブル、ワンタッチダイヤル登録テーブル、及び、Ｗｅｂ登録形態選択フラグＦｗが記憶されている。
【００６１】
記憶領域５ｃのフラグＦｗは、ＷＥＢ登録、つまり、ネットワークとしてのＬＡＮ１００を介した短縮ダイヤルやワンタッチダイヤルの登録を受け付ける際の形態をその値により選択設定するためのものであり、値１ないし４のうちのいずれかの値が予め設定される。
【００６２】
値１は、短縮ダイヤルにファクシミリ番号（宛先識別情報）を１件だけ登録するモードであり、値２は短縮ダイヤルにファクシミリ番号を複数件（複数宛先）登録するモードであり、値３は、ワンタッチダイヤルにファクシミリ番号を１件だけ登録するモードであり、値４は、ワンタッチダイヤルにファクシミリ番号を複数件登録するモードである。
【００６３】
記憶領域５ｃのフラグＦｗの値の設定は、ファクシミリ装置１の出荷時に初期値として例えば値１が設定されるが、ファクシミリ装置１がユーザ環境に設置された後に、サービスマンや、ユーザのうちの管理担当者などによる操作表示部８からの登録操作により値の設定の変更が可能である。具体的には、［ファンクション］キー８ｆと例えば番号「３０」の入力により、ＷＥＢ登録形態設定変更のモードに起動して、表示器８ｊに選択項目を表示して、その表示した項目のうちの選択された項目に対応する値にフラグＦｗの値を書き換える。
【００６４】
それにより、ユーザの所望するところに応じた形態でのＷＥＢ登録が可能となる。もちろん、ＷＥＢ登録形態をいずれか１通りに固定して、設定変更不可能に構成してもよい。
【００６５】
短縮ダイヤル登録テーブル５ａの具体的な内容について図６に示す。
【００６６】
同図において、テーブル５ａは、各短縮番号に対応する０１ないし９９の管理番号にそれぞれ対応した「宛先識別情報（ファクシミリ番号）」、「名称文字列」、「登録日時」、「登録種別フラグＦｓ」、及び、「登録有無フラグＦｕ」の各フィールドが対応付けられて構成されたレコードの集合として構成されている。
【００６７】
例えば管理番号「０１」ついて見ると、「宛先識別情報」（本発明を実施するための最良の形態ではファクシミリ番号）は、「０３−１２３４−１１１１」である。「名称文字列」は「Ｂ社田端支店」である。「登録日時」は「２００２/０８/２３ １３:１５」つまり、西暦２００２年の８月２３日の１３時１５分である。「登録種別フラグＦｓ」は値「０」で、「登録有無フラグＦｕ」は値「１」である。
【００６８】
「登録有無フラグＦｕ」は値「１」が、対応する管理番号（短縮番号）について、宛先が登録されている状態であることを示し、値「０」は、宛先が登録されていいない（新たに登録することができる）状態であることを示している。
【００６９】
「登録種別フラグＦｓ」は、値「０」が自装置登録であることを示す、値「１」がＷｅｂ登録であることを示す。
【００７０】
自装置登録は、［ファンクション］キー８ｆにより、短縮ダイヤル登録モードが起動された状態で、操作表示部８を介して指定された短縮番号（「管理番号」）に対応して入力された「宛先識別情報」及び「名称文字列」を、指定された「管理番号」に対応付けてテーブル５ａに登録する登録形態である。その場合「登録日時」として、登録の操作入力があった時点で時計回路７から読み出した日時情報が記憶され、「登録種別フラグＦｓ」として値０が設定され、登録有無フラグＦｕとして値「１」が設定される。
【００７１】
「登録種別」が「Ｗｅｂ登録」のものに対応する登録有無フラグＦｕの値は、後述する処理手順により、「１」にセット、または、「０」にリセットされる。
【００７２】
なお、本発明を実施するための最良の形態では、「名称文字列」は、「登録種別」が「ＷＥＢ登録」の場合には特に登録はされないが、後述する処理手順により、ＰＣ１０１ａなどから宛先識別情報の短縮ダイヤルへの登録要求を受ける際に、併せて「名称文字列」の情報を受け取り登録するようにしてもよい。
【００７３】
ワンタッチダイヤル登録テーブル５ｂの具体的な内容について図７に示す。
【００７４】
同図に示すテーブル５ｂは、図６に示した短縮ダイヤル登録テーブル５ａと基本的に同一構成であるが、「管理番号」が０１ないし９９ではなく、０１ないし２０である点と、各「管理番号」が短縮番号ではなく、図３に示した操作表示部８のワンタッチキー群８ｈを構成する番号０１ないし２０のそれぞれに対応したキーに対応している点が異なる。
【００７５】
また、管理番号「０３」や「０４」に対応する宛先識別情報として、複数（この場合３つ）のファクシミリ番号が登録されている。これは、いわゆるグループダイヤル機能のためのものであり、例えば、番号「０４」のワンタッチキーの押下により宛先が指定されると、対応する各宛先識別情報に対応する各相手先装置に対して順次文書データを送信する。このグループダイヤル機能は、図６に示した短縮ダイヤル登録テーブル５ａにおいても同様に適用できるものである。
【００７６】
図８に、図１に示したように、ネットワークのＬＡＮ１００に接続されるパーソナルコンピュータ（ＰＣ）１０１ａ、ｂまたはｂとして適用されるＰＣ１０１のブロック構成について示す。
【００７７】
同図において、ＣＰＵ５０は、ＲＡＭ５２を作業領域として使用しつつ、ＲＯＭ５１に書き込まれた基本プログラムに基づいて起動してハードディスク装置５３に記憶されたＯＳ（オペレーティングシステム紙のプログラムをＲＡＭ５２に展開して実行し、そのＯＳ上で、ハードディスク装置５３に記憶された各種アプリケーションプログラムをＲＡＭ５２に展開した上で実行する中央演算処理装置である。
【００７８】
ＲＯＭ５１は、前述したようにＣＰＵ５０が装置各部を制御するための基本動作のための制御プログラムや各種データが記憶されるリードオンリメモリである。
【００７９】
ＲＡＭ５２は、前述したようにＣＰＵ５０の作業領域として使用されるランダムアクセスメモリである。
【００８０】
ハードディスク装置５３は、前述したようにＣＰＵ５０により実行されるＯＳやアプリケーションのプログラムファイルやデータが記憶されるものである。
【００８１】
ディスプレイモニタ５４は、ＣＰＵ５０から渡された描画データに基づいて画像信号を生成するビデオＩ／Ｆ５４ａからの出力信号に基づいた画像表示を行う、ブラウン管や液晶表示器などにより構成される表示装置である。
【００８２】
マウス装置５５は、自身の移動量データや、ボタンのクリックの有無を示す信号などの情報を、マウス装置Ｉ／Ｆ５５ａを介してＣＰＵ５０に与えるためのものである。
【００８３】
キーボード５６は、アルファベット、数字、各種記号などの入力されたキーコードをキーボートＩ／Ｆ５６ａを介してＣＰＵ５０に与えるためのものである。
【００８４】
ＮＩＣ部５７は、図２に示したファクシミリ装置１のＮＩＣ部１２と同等のもので、イーサネットのＬＡＮ１００に接続され、イーサネットプロトコル上でのＴＣＰ／ＩＰプロトコルのやりとりにより、その上位のＳＭＴＰ／ＰＯＰ３による電子メール通信やＨＴＴＰによる各種情報のやりとりなどを行えるようにするためのものである。
【００８５】
図９に、ＰＣ１０１におけるプロトコルスタックについて示す。
【００８６】
同図に示すプロトコルスタックは、図４に示したファクシミリ装置１におけるそれと同等のものであるが、「ＴＣＰ・ＵＤＰ／ＩＰ」の上位に、ＨＴＴＰクライアント機能を含む汎用のＷＥＢブラウザアプリケーションや、メール送受信のためのＳＭＴＰやＰＯＰ３の各プロトコルが位置する。
【００８７】
ＰＣ１０１ａ、ｂ、ｃなどとして適用されるＰＣ１０１は、ファクシミリ装置１の設置場所（ある会社のオフィスのフロアなど）に各自の机を配置して働く多数のユーザのそれぞれに与えられていて、各ユーザは、各自のＰＣ１０１にインストールされたＯＳやアプリケーションを起動してメールの送受信・送信や、文書作成、スケジュール管理、仕事上のつき合いのある相手先の住所や電話番号、ファクシミリ番号の管理などの作業を行う。
【００８８】
また、汎用のＷＥＢプラウザソフトウェアを起動して、ＵＲＬ（Uniform Resource Locator）を入力したり選択したりすることで、目的のＨＴＭＬ文書や画像データを取得してディスプレイモニタ５４に表示したり、ディスプレイモニタ５４に表示された、別のＵＲＬにリンクされた文字列やボタンや画像にマウス装置５５の操作によりマウスカーソルを移動させてクリック操作をすることにより、所望の情報を取得して表示したり、ハードディスク装置５３にファイルとして保存したりする。
【００８９】
また、表示されたＨＴＭＬ文書において<form>と</form>に挟まれた記述に対応する入力欄に必要な情報を入力してボタンをクリックすることにより入力欄に入力された内容を所定のＵＲＬ（対応する装置の対応する機能）宛に送信して所定の動作を行わせるようなこともできる。
【００９０】
ＷＥＢプラウザとしては、Microsoft社のInternet Explorer（ＩＥ）や、OPERA社のOpera、Netscape社のNetscapeなどがある。
【００９１】
そのようにしてＷＥＢプラウザによりＵＲＬを指定して所望のファイルを取得して表示などの動作を行っているＰＣ１０１は、ＷＥＢプラウザ上でファクシミリ装置１の本発明に係る短縮ダイヤルやワンタッチダイヤルのＷＥＢ登録機能に係るＵＲＬが指定されると、図１０ないし図１３に示す、宛先のＷＥＢ登録関連の処理を行う一方、ファクシミリ装置１側でもＰＣ１０１側に処理に対応した処理を行う。
【００９２】
なお、ファクシミリ装置１のＷＥＢ登録機能を示すＵＲＬの指定は、ファクシミリ装置１のＩＰアドレスを直接してもよいし、ＤＮＳ（Domain Name System）が有効な場合にはホスト名の指定により行ってもよい。そのＵＲＬは、ファクシミリ装置１のホスト名が例えば「fax.xxx.co.jp」であれば、「http://fax.xxx.co.jp/dialform.html」である。
【００９３】
そのＵＲＬが指定されるとＷＥＢブラウザは、「http:」により宛先のＴＣＰのポート番号を８０と解釈する共に「fax.xxx.co.jp」をＤＮＳによるアドレス解決によりＩＰアドレスに変換する。
【００９４】
図１０において、ＰＣ１０１側では一連のＷｅｂブラウジング処理の１局面として、宛先Ｗｅｂ登録処理を行う。
【００９５】
つまり、ＷＥＢ登録のＨＴＭＬ文書の取得要求をファクシミリ装置１に対して行う（処理Ｓ１０１）。
【００９６】
処理Ｓ１０１の取得要求は、具体的には、ファクシミリ装置１のＩＰアドレスのＴＣＰポート番号８０との間でＴＣＰプロトコル上でのコネクションを確立した上で、ＨＴＴＰのＧＥＴコマンドにファクシミリ装置１におけるＷＥＢ登録受け付け機能を示すＵＲＬ（dialform.html）を付加して送信することによりより行われる。なお、その際、ＰＣ１０１のＩＰアドレスはＩＰヘッダに含まれて通知されＨＴＴＰクライアントのＴＣＰポート番号もＴＣＰヘッダに含まれて通知される。ファクシミリ装置１からＰＣ１０１にＨＴＴＰにより情報を送信する場合も同様である。
【００９７】
一方、ファクシミリ装置１側では、ＨＴＴＰサーバとして動作の１局面として、ＷＥＢ登録要求を監視していている（判断Ｓ２０１のＮｏのループ）。
【００９８】
そして、ＰＣ１０１側における処理Ｓ１０１に対応して、ＴＣＰポート番号８０のＨＴＴＰサーバ機能により、「dialform.html」のＧＥＴコマンドによる取得要求が検出されると判断２０２移行の処理手順を行う。
【００９９】
なお、ファクシミリ装置１において何をもってＷＥＢ登録要求と判断するかは、ファクシミリ装置１におけるＨＴＴＰサーバ機能のつくりによる。つまり、ファクシミリ装置１のＩＰアドレスを指定したデータの受信をもって、ＷＥＢ登録要求と判断して「dialform.html」のＨＴＭＬ文書ファイルを返信するようにしてもよい。
【０１００】
あるいは、ファクシミリ装置１のＩＰアドレスを指定したデータの受信をもって、利用可能なファクシミリ装置１のＷｅｂサービス（各種登録機能など）を選択するための既定のページに相当する「index.html」のＨＴＭＬ文書ファイルを返信して、その返信した「index.html」がＰＣ１０１側のＷＥＢブラウザにより表示され、「ＷＥＢ登録」の機能の選択を示す情報が返信されてきた場合に、「dialform.html」のＨＴＭＬ文書ファイルを返信するようにしてもよい。
【０１０１】
ファクシミリ装置１において、判断Ｓ２０１がＹｅｓとなると、ＨＴＴＰコマンドに対する肯定応答「２００」を、要求元のＰＣ１０１（のＩＰアドレス及びＴＣＰポート番号）宛に返信した上で、図５の記憶領域５ｃのＷＥＢ登録形態選択フラグＦｗの値を参照することで、ＷＥＢ形態の現在の設定を確認する（処理Ｓ２０２）。
【０１０２】
そして、その設定に応じたＷＥＢ登録のためのＨＴＭＬ文書ファイル（テキストデータ）を作成し（処理Ｓ２０３）、要求元のＰＣ１０１宛に、「dialform.html」として返信する（処理Ｓ２０４）。なお、設定に応じたＷＥＢ登録のためのＨＴＭＬ文書ファイルは、その都度作成するのではなく、ＲＯＭ３やＥＥＰＲＯＭ５に各設定に対応したテキストデータを予め記憶しておいて、それを単に読み出して返信するようにしてもよい。
【０１０３】
一方ＰＣ１０１においては、判断１０２のＮｏのループにおいて、自装置（のＩＰアドレス及びＨＴＴＰクライアントのＴＣＰポート番号）宛のファイルの受信を監視している。
【０１０４】
そして、ファクシミリ装置１側の処理Ｓ２０４に対応して判断Ｓ１０２がＹｅｓとなると、受信した「dialform.html」の内容をＨＴＭＬの文法にしたがって解釈して表示する（処理Ｓ１０３）。
【０１０５】
図１７ないし図１９に、ＷＥＢ登録のＨＴＭＬ文書のテキストデータ例（ａ）及びその表示例（ｂ）について示す。
【０１０６】
図１７に示すのものにおいては、ＨＴＭＬ文書中の<form>と</form>とに挟まれた記述により、宛先番号の入力欄と「ＯＫ」ボタンとが表示される。
【０１０７】
具体的には、
<input type="text" name="dial">
により、入力欄が確保され、入力された文字列は、「ＯＫ」ボタンがクリックされれば、"dial"の情報として、
action="http://fax.xxx.co.jp/dial">
宛に返信（method="post"）される。
その「ＯＫ」ボタンは、
<input type="submit" name="submit" value="ＯＫ">
により表示され、「ＯＫ」がクリックされれば、その旨が上記の宛先番号の情報と共に返信(method="post")される。なお、「ＯＫ」ボタンは、「value="ＯＫ"」を例えば「value="登録"」に変更して「登録」ボタンとしてもよいものである。また、（method="post"）は、（method="get"）であってもよい。
【０１０８】
なお、図１７に示す例は、Ｗｅｂ登録形態が、「短縮：１件」または「ワンタッチ：１件」（Ｆｗ＝１または３）の場合に要求元のＰＣ１０１に返信されるものであり、入力された宛先番号が、ファクシミリ装置１において短縮ダイヤルまたはワンタッチダイヤルのいずれに登録されるのかについては、ＰＣ１０１に特には通知しないようにしているが、フラグＦｗの設定に応じて「短縮ダイヤルに登録します」や「ワンタッチダイヤルに登録します」などの文字列を付加して、これから入力・登録しようとする宛時が短縮またはワンタッチのいずれに設定されるのかをユーザに認識させるようにしてもよい。
【０１０９】
宛先指定の利便性としては、短縮ダイヤルよりもワンタッチダイヤルのほうが高いが、いずれに設定されるかは、ファクシミリ装置１側のＷＥＢ登録形態設定フラグＦｗの設定による。ＷＥＢ登録するユーザ数が非常に多く各ユーザに与えられたＰＣ１０１ａ、ｂ、ｃなどの多数のＰＣ１０１から宛先の登録要求が見込まれ、ファクシミリ装置１本体におけるワンタッチダイヤルの登録に影響がでるような場合には、より多数の宛先を登録できる短縮ダイヤル（フラグＦｗは値１または２）に設定すればよいし、ＷＥＢ登録するユーザ数が少ない場合にはユーザの利便性を優先してワンタッチダイヤル（フラグＦｗは値３または４）に設定すればよい。
【０１１０】
図１８に示す例は、図１７に示した例と類似するが、Ｗｅｂ登録形態が、「短縮：複数件」または「ワンタッチ：複数件」（Ｆｗ＝２または４）に設定されている場合で、宛先を１つまたは複数入力できるようになっている点が異なる。
【０１１１】
図１８に示す例において、宛先を１つのみ入力すれば図１７に示した例と同等となるが、図１８に示す例では、１つの短縮番号またはワンタッチキー番号に複数の宛先を登録するいわゆるグループダイヤルへの登録を、ＷＥＢ登録において許していることになる。
【０１１２】
また、図１８に示す例は、図１９に示す例のように変形することも考えられる。図１９に示す変形例は、「input type="radio"」により、入力した１つまた複数の宛先番号をワンタッチダイヤルまたは短縮ダイヤルのいずれに登録したいかのユーザによる設定を許すものである。ファクシミリ装置１側では、その選択に応じてワンタッチダイヤルまたは短縮ダイヤルのいずれかに、ＷＥＢ登録に係る宛先識別情報を登録できる。また、ファクシミリ装置１側においては、フラグＦｗの設定、または、図１９の例における選択に応じてワンタッチダイヤルまたは短縮ダイヤルのいずれかにＷＥＢ登録に係る宛先識別情報を優先的に登録するが、例えばフラグＦｗの設定がワンタッチダイヤルの設定の場合にワンタッチダイヤルのキー０１ないし２０が全て「登録済」の場合に、次善の策として、Ｗｅｂ登録に係る宛先識別情報を短縮ダイヤルのほうの空いている管理番号（短縮番号）に登録するようにするようにしてもよく、その場合、可能な限りＷＥＢ登録の要求に応じることができるようになる利点がある。また、空いているワンタッチキー番号や短縮番号の情報をも「dialform.html」に含めて通知して、空いているワンタッチキー番号や短縮番号のうちのいずれかの番号をＷｅｂ登録のユーザに選択させるようにすることも考えられるが、本発明を実施するための最良の形態では、後述するように、どのワンタッチキー番号または短縮番号に割り当て登録するかは、ファクシミリ装置１側で一元的に管理して、ＷＥＢ登録のユーザ側には、その登録結果（登録したワンタッチキー番号または短縮番号）のみを通知するようにしている。
【０１１３】
なお、図１７や図１８に示したようなＷＥＢ登録用のＨＴＭＬ文書ファイルは、各ＰＣ１０１がその都度ファクシミリ装置１にＨＴＴＰにより要求して取得して表示するのではなく、各ＰＣ１０１のハードディスク装置５３に予め記憶しておいて、その記憶しておいたファイルをＷＥＢブラウザにより読み出して表示するようにしてもよいものである。
【０１１４】
図１０に戻って、処理Ｓ１０３により、図１７または１８の表示を行った後、宛先識別情報入力処理、つまり、宛先番号の入力欄に入力された記号列を表示すると共に記憶する処理を行い（処理Ｓ１０４）、「ＯＫ」ボタンが押下を待ち（判断Ｓ１０５のＮｏのループ）、押下されると（判断Ｓ１０５のＹｅｓ）、宛先番号として入力された宛先識別情報（ファクシミリ番号）を送信（action="http://fax.xxx.co.jp/dial">）する（処理Ｓ１０６）。
【０１１５】
それに対応してファクシミリ装置１側においては、判断Ｓ２０５がＹｅｓとなり、図１１の処理Ｓ４０１に移行する。なお、判断Ｓ２０５は宛先登録受付手段に相当する。
【０１１６】
処理Ｓ４０１では、宛先識別情報正当性確認処理を行う。この確認処理は、判断Ｓ２０５において受信した宛先識別情報（ファクシミリ番号）の記号列が、ファクシミリ装置１において入力されるファクシミリ番号に含まれる記号として認めている、番号「０」ないし「９」または「−」のみで構成されていれば、「正当」と判定し、それ以外の場合は「不当」と判定する。例えば「０３３３３３５５５５」、「０３−２５５５−４４４４」は、正当と判定するが、「０３．２５６．２５４７」のような許されない記号「．」を含むような場合は「不当」と判定する。
【０１１７】
処理Ｓ４０１の判定の結果、不当な場合には（判断Ｓ４０２のＮｏ）、入力エラー通知のＨＴＭＬ文書ファイルを作成しＷＥＢ登録要求元のＰＣ１０１に送信した上で（処理Ｓ４０３）、図１０の判断Ｓ２０１に戻る。
【０１１８】
判断Ｓ４０２において、正当である場合には（判断Ｓ４０２のＹｅｓ）、処理Ｓ４０４に移行し、ＷＥＢ登録形態の設定、つまりフラグＦｗの値を確認する。
【０１１９】
そして、フラグＦｗの値が１または２の場合は対応する短縮ダイヤル登録テーブル５ａを、フラグＦｗの値が３または４の場合は対応するワンタッチダイヤル登録テーブル５ｂを参照する（処理Ｓ４０５）。
【０１２０】
そして、未登録の管理番号、つまり、対応するフラグＦｕの値が「０」の管理番号が１つ以上有るか否かを確認する（処理Ｓ４０６）。その確認の結果、
無い場合には（判断Ｓ４０７のＮｏ）、登録不可通知のＨＴＭＬ文書ファイルを作成し、ＷＥＢ登録要求元のＰＣ１０１に送信した上で（処理Ｓ４０３）、図１０の判断Ｓ２０１に戻る。
【０１２１】
処理Ｓ４０３やＳ４０８で送信されるＨＴＭＬ文書ファイルは、ＰＣ１０１側のＷＥＢブラウザアプリケーションにおける処理の一局面として受信され（判断Ｓ３０１のＹｅｓ）、ディスプレイモニタ５４に表示される（処理Ｓ３０２）。
【０１２２】
判断Ｓ４０７において、未登録の管理番号が１つ以上有る場合には（判断Ｓ４０７のＹｅｓ）、図１２の処理Ｓ５０１に移行する。
【０１２３】
処理Ｓ５０１では、図１０のは判断Ｓ２０５で受信した、ＷＥＢ登録要求に係る「宛先識別情報」を、未登録の管理番号のうちのいずれかに対応付けて登録する。なお、処理Ｓ５０１は宛先登録手段に相当する。
【０１２４】
更に、時計回路７から読み出した現在時刻を対応する「登録日時」をセットする（処理Ｓ５０２）。そして更に、対応する「登録種別フラグＦｓ」を１（ＷＥＢ登録）にセットすると共に（処理Ｓ５０３）、対応する「登録有無フラグＦｕ」を１（登録）にセットする（処理Ｓ５０４）。
【０１２５】
最後に、登録完了通知のＨＴＭＬ文書ファイルを作成し、ＷＥＢ登録要求元のＰＣ１０１に送信した上で（処理Ｓ５０５）、図１０の判断Ｓ２０１に戻る。なお、処理Ｓ５０５は登録完了通知手段に相当する。
【０１２６】
処理Ｓ５０５送信されるＨＴＭＬ文書ファイルは、ＰＣ１０１側のＷＥＢブラウザアプリケーションにおける処理の一局面として受信され（図１１の判断Ｓ３０１のＹｅｓ）、ディスプレイモニタ５４に表示される（図１１の処理Ｓ３０２）。
【０１２７】
処理Ｓ５０１ないし処理Ｓ５０４により、例えば図６の短縮ダイヤル登録テーブル５ａにおける管理番号「０２」や「０３」のレコードのように、各フィールドが登録される。その場合「名称文字列」については、前述したように、ＷＥＢ登録要求に係る情報としては取得していないため、空欄となっている。
【０１２８】
これにより、ファクシミリ装置１から離れた自席にいるユーザは、手元に用意した、これから送信しようとする原稿の文書の送信宛先に関して、手元にあるアドレス帳や、ＰＣ１０１上で起動した情報管理アプリケーションの表示を参照したりして、ファクシミリ装置１のところまで赴くことなく席上のＰＣ１０１により、ファクシミリ装置１における短縮ダイヤルやワンタッチダイヤルの登録を行え、ファクシミリ装置１の所まで送信宛先のファクシミリ番号を記載したメモやアドレス帳を持参して直接ダイヤルする手間に代えて、登録された短縮番号の指定や、ワンタッチキーの選択という簡便な操作により、宛先指定して原稿を所望の相手先に送信することが可能となる。
【０１２９】
ＷＥＢ登録要求に係る宛先識別情報が複数件あるような場合、つまり、フラグＦｗが値「２」や「４」の場合で、図１８に示したような「フォーム」により複数件の宛先識別情報がＷＥＢ登録要求元のＰＣ１０１から送信されてきた場合には、図７のワンタッチダイヤル登録テーブル５ｂの管理番号「０３」に対応するレコードに示すように、１つの管理番号（ワンタッチキーの番号）に受信した複数の宛先識別情報を登録する（グループダイヤル）。この場合も、「名称文字列」については、前述したように、ＷＥＢ登録要求に係る情報としては取得していないため、空欄となっている。
【０１３０】
これにより、ファクシミリ装置１から離れた自席にいるユーザは、手元に用意した、これから送信しようとする原稿の文書の複数の送信宛先に関して、手元にあるアドレス帳や、ＰＣ１０１上で起動した情報管理アプリケーションの表示を参照したりして、ファクシミリ装置１のところまで赴くことなく席上のＰＣ１０１により、ファクシミリ装置１における短縮ダイヤルやワンタッチダイヤルの登録を行え、ファクシミリ装置１の所まで複数の送信宛先のファクシミリ番号を記載したメモやアドレス帳を持参して各宛先のファクシミリ番号を直接ダイヤルする手間に代えて、登録された短縮番号の指定や、ワンタッチキーの選択という簡便な操作により、複数宛先を一括指定して原稿を所望の相手先に送信することが可能となる。
【０１３１】
なお、ＷＥＢ登録要求に係る宛先識別情報が複数件ある場合に、それをいわゆるグループダイヤルとして、１つの管理番号（短縮番号またはワンタッチキー番号）に対応付けて登録するのではなく、各宛先識別情報（ファクシミリ番号）をそれぞれ個別の管理番号と対応付けて登録するようにすることも考えられる。
【０１３２】
それは、ＰＣ１０１から短縮ダイヤルやワンタッチダイヤルにＷＥＢ登録したユーザが、自席で用意した複数の原稿文書をそれぞれ別々の相手先に送信したい場合を想定したものである。そのような登録形態をここで仮に「個別ダイヤル」と称するとすれば、その個別ダイヤルまたは上記グループダイヤルのいずれかの登録モードを、図１９に示した変形例において、ワンタッチダイヤルまたは短縮ダイヤルのいずれかをＰＣ１０１においてユーザが選択できたのと同様な方法で選択できるようにして、各ＰＣ１０１のユーザの個別の要望に柔軟に対応するようにしてもよい。あるいは、ファクシミリ装置１における設定により、個別ダイヤルまたはグループダイヤルのいずれかの登録モードを、フラグＦｗによりＷＥＢ登録のモードを設定したのと同様に、選択設定できるようにしてもよい。
【０１３３】
図２０に、図１２の処理Ｓ５０５により作成・送信される登録完了通知のＨＴＭＬ文書例（ａ）及びその表示例（ｂ）について示す。
【０１３４】
同図に示す例は、フラグＦｗが１（短縮：１件）の場合のものであり、図１７に示した「フォーム」による入力に対応するものである。その中には、ＷＥＢ登録要求した宛先識別情報（「０３−１２３４−２９３４」）が短縮番号「５５」に対応付けて登録されたことを示す情報と、「ファクシミリ装置にて短縮キー押下後５５番をダイヤルしてください。」との、ファクシミリ装置１に設置場所に赴いた後の操作手順を示す情報とが含まれている。
【０１３５】
宛先識別情報（「０３−１２３４−２９３４」）は、ユーザ自身が登録を所望して入力したものであるため、それに対応する管理番号（この場合短縮番号）「５５」番と、短縮ダイヤルに登録された旨を示す情報としての「短縮」の文字列のみを通知すれば十分であるが、ユーザが入力した宛先識別情報（「０３−１２３４−２９３４」）をも対応付けて示すことで、ユーザに対していっそう確実に自分が入力した宛先識別情報の登録結果を認識させることができる。
【０１３６】
図２１に、図１２の処理Ｓ５０５により作成・送信される登録完了通知のＨＴＭＬ文書例（ａ）及びその表示例（ｂ）について示す。
【０１３７】
同図に示す例は、フラグＦｗが３（ワンタッチ：１件）の場合のものであり、図１７に示した「フォーム」による入力に対応するものである。その中には、ＷＥＢ登録要求した宛先識別情報（「０３−１２３４−２９３４」）がワンタッチキー番号「１３」に対応付けて登録されたことを示す情報と、「ファクシミリ装置にてワンタッチキー１３番を押下してください。」との、ファクシミリ装置１に設置場所に赴いた後の操作手順を示す情報とが含まれている。
【０１３８】
宛先識別情報（「０３−１２３４−２９３４」）は、ユーザ自身が登録を所望して入力したものであるため、それに対応する管理番号（この場合ワンタッチキー番号）「１３」番と、ワンタッチダイヤルに登録された旨を示す情報としての「ワンタッチ」の文字列のみを通知すれば十分であるが、ユーザが入力した宛先識別情報（「０３−１２３４−２９３４」）をも対応付けて示すことで、ユーザに対していっそう確実に自分が入力した宛先識別情報の登録結果を認識させることができる。
【０１３９】
図示はしないが、図１８のフォームにより複数の宛先識別情報が指定されて「グループダイヤル」として登録された場合には、図２０（ｂ）や図２１（ｂ）において、指定された全ての宛先識別情報がリスト表示されるようなＨＴＭＬ文書ファイルが作成されて、登録完了通知通知として送信される。
【０１４０】
もし、図１８のフォームにより複数の宛先識別情報が指定されて前述の「個別ダイヤル」として登録されるとすると、それに対する登録完了通知は、図２２に示すようなリスト表示となるようなＨＴＭＬ文書として作成・送信されることになる。つまり、各宛先識別情報とそれらに個別に対応付けられて登録された管理番号（この場合ワンタッチキー番号）とがリスト表示される。
【０１４１】
図２３に、図１１の処理Ｓ４０８により作成・送信される登録不可通知のＨＴＭＬ文書例（ａ）及びその表示例（ｂ）について示す。
【０１４２】
同図に示す例は、フラグＦｗが１（短縮：１件）または２の場合のものであり、登録しようとした短縮ダイヤル登録テーブル５ａに空きがないことを示すと共に、ファクシミリ装置１にて直接テンキー８ａにより宛先のファクシミリ番号をダイヤルするよう促す内容となっている。
【０１４３】
図２４に、図１１の処理Ｓ４０８により作成・送信される登録不可通知のＨＴＭＬ文書例（ａ）及びその表示例（ｂ）の別例について示す。
【０１４４】
同図に示す例は、フラグＦｗが３（ワンタッチ：１件）または４の場合のものであり、登録しようとしたワンタッチダイヤル登録テーブル５ｂに空きがないことを示すと共に、ファクシミリ装置１にて直接テンキー８ａにより宛先のファクシミリ番号をダイヤルするよう促す内容となっている。
【０１４５】
図２５に、図１１の処理Ｓ４０３により作成・送信される入力エラー通知のＨＴＭＬ文書の表示例について示す。
【０１４６】
同図に示す例は、フラグＦｗが１（短縮：１件）の場合のものであり、登録しようとした宛先番号の指定に誤りがあったきとを示すと共に、宛先識別情報（ファクシミリ番号）として許される記号列が数字と「−」のみであることを示している。なお、宛先識別情報が例えばメールアドレスのような他種類の記号の使用が許されるものの場合には、許されない記号列のほうを示すほうが簡潔な表示とできる場合もありえる。フラグＦｗが２、３または４の場合も同様のエラー通知がなされる。
【０１４７】
それにより、ファクシミリ装置１においては、結果的に正しく送信できない宛先が短縮ダイヤルやワンタッチダイヤルに登録されることがなく、各ＰＣ１０１のユーザにとっては、自分が登録しようとした宛先の入力が間違っていたこと知り再度ＷＥＢ登録の操作をやり直すなどの適切な対応をとることができる。
【０１４８】
図１３に、ファクシミリ装置１における送信処理手順について示す。
【０１４９】
同図において、先ず、原稿が読取部９にセットされるのを待つ（判断Ｓ６０１のＮｏのループ）。ファクシミリ装置１を使用するためにファクシミリ装置１の設置場所までやってきたユーザ（図１０の処理手順によりＰＣ１０１から宛先のＷＥＢ登録を済ましているユーザである場合もある）が送信したいと所望する文書の原稿をセットすると判断Ｓ６０１はＹｅｓとなり、テンキー８ａが押下されるか、［短縮］キー８ｉの押下と短縮番号の入力の組み合わせ操作があるか、または、ワンタッチキー群８ｈのうちのいずれかのキーが押下されるかを監視する（判断Ｓ６０２のＮｏ、判断Ｓ６０５のＮｏ、判断Ｓ６０６のＮｏのループ）。
【０１５０】
判断Ｓ６０２において、テンキー８ａが押下された場合、つまり、直接ダイヤルによる宛先指定の場合には（判断Ｓ６０２のＹｅｓ）、直接入力された宛先の記号列を表示器８ｉに順次表示しつつ記憶する、宛先直接入力表示処理を（処理Ｓ６０３）、送信開始を示す［スタート］キー８ｅが押下されるまで行い（判断Ｓ６０４のＮｏのループ）、［スタート］キー８ｅが押下されると（判断Ｓ６０４のＹｅｓ）、図１４の処理Ｓ７０１に移行する。
【０１５１】
判断Ｓ６０５において、［短縮］キー８ｉの押下と短縮番号の入力の組み合わせ操作があった場合には（判断Ｓ６０５のＹｅｓ）、入力された短縮番号（管理番号）に対応する宛先（ファクシミリ番号）を短縮ダイヤル登録テーブル５ａにおいて特定し（処理Ｓ６０７）、その特定した宛先に対応して登録されている「宛先名称文字列」などを表示する表示処理を（処理Ｓ６０８）、送信開始を示す［スタート］キー８ｅが押下されるまで行い（判断Ｓ６０９のＮｏのループ）、［スタート］キー８ｅが押下されると（判断Ｓ６０９のＹｅｓ）、図１４の処理Ｓ７０１に移行する。
【０１５２】
判断Ｓ６０６において、ワンタッチキーが押下された場合には（判断Ｓ６０６のＹｅｓ）、押下により選択されたワンタッチキー番号（管理番号）に対応する宛先（ファクシミリ番号）をワンタッチダイヤル登録テーブル５ｂにおいて特定し（処理Ｓ６１０）、その特定した宛先に対応して登録されている「宛先名称文字列」などを表示する表示処理を（処理Ｓ６１１）、送信開始を示す［スタート］キー８ｅが押下されるまで行い（判断Ｓ６１２のＮｏのループ）、［スタート］キー８ｅが押下されると（判断Ｓ６１２のＹｅｓ）、図１４の処理Ｓ７０１に移行する。
【０１５３】
図１５に、処理Ｓ６１１における表示例について示す。
【０１５４】
同図において、表示Ｄ０１ａは、登録種別フラグＦｓが値１（ＷＥＢ登録）のワンタッチキー番号（この場合０２）が指定された場合のものであり、表示Ｄ０１ｂは、登録種別フラグＦｓが値０（自装置登録）のワンタッチキー番号（この場合０１）が指定された場合のものである。
【０１５５】
表示Ｄ０１ａにおいては、「宛先名称文字列」がテーブル５ｂに登録されていないため、それに代えて、「ＷＥＢ登録」である旨と対応するファクシミリ番号とを宛先名称に代わるものとして表示するようにしている。これにより、自席でＰＣ１０１を介してＷＥＢ登録した後にファクシミリ装置１の所までやってきたユーザが実際に自分で登録したワンタッチダイヤルを利用するときに再度登録内容を確認することができ、ワンタッチダイヤルをＷＥＢ登録した場合でも確実な宛先指定を行える。
【０１５６】
表示Ｄ０１ｂにおいては、「宛先名称文字列」が登録されているため、その登録されている文字列をそのまま「宛先名称：」の欄に表示するようにしている。登録種別フラグＦｓが値０（自装置登録）のワンタッチキーは、同一宛先について何回も繰り返し使用されるものであるため、宛先指定の確実さの点で実績ができていて、対応するファクシミリ番号を表示してもあまり意味がないため特に表示はしないようにしている。
【０１５７】
表示Ｄ０１ａにおいて、１つのワンタッチキーに複数の宛先が登録されている「グループダイヤル」のキーが指定された場合には、対応する複数の宛先ファクシミリ番号の全てまたは一部を表示するようにしてもよいし、「グループダイヤル」であることを示す文字列を表示するようにしてもよい。
【０１５８】
図１５に示したのと同様の表示は、処理Ｓ６０８の短縮ダイヤルにおける表示処理においても行われる。
【０１５９】
さて、図１４の処理Ｓ７０１においては、指定された宛先のファクシミリ番号に発呼し（処理Ｓ７０１）、相手先装置との間でファクシミリプロトコルのやりとりを行いつつ読取部９にセットされた原稿文書を読み取って画像メモリ６に蓄積した画像データを順次送信する処理であるファクシミリ送信処理を行う（処理Ｓ７０２）。
【０１６０】
なお、処理Ｓ７０１及び処理Ｓ７０２は、「グループダイヤル」により複数宛先が一括指定された場合には各宛先の分だけ繰り返し行われる。
【０１６１】
処理Ｓ７０２の後は、ファクシミリ送信が指定された全ての宛先（１つまたは複数）について正常に終了したかを判断し（判断Ｓ７０３）、正常に終了していない宛先がある場合には（判断Ｓ７０３のＮｏ）、再度発呼してファクシミリ送信する再送信処理を（処理Ｓ７０４）、全ての宛先について正常に終了するかまたは上限の再送信回数（例えば５回）になるまで行う（判断Ｓ７０５のＮｏ、判断７０６のＮｏのループ）。
【０１６２】
判断７０６において、上限回数に達した場合には（判断Ｓ７０６のＹｅｓ）、処理を終了するが、判断７０３または判断７０５において正常に終了した場合には（判断Ｓ７０３のＹｅｓ、または、判断Ｓ７０５のＹｅｓ）、宛先指定が短縮ダイヤルまたはワンタッチダイヤルのいずれかにより行われたかを確認し（処理Ｓ７０７）、短縮またはワンタッチダイヤルではなく直接ダイヤルにより行われた場合には（判断Ｓ７０８のＮｏ）、処理終了するが、短縮またはワンタッチダイヤルである場合には（判断Ｓ７０８のＹｅｓ）、更に、指定された管理番号（ワンタッチ番号または短縮番号）にテーブル５ａまたは５ｂにおいて対応する登録種別フラグＦｓの値が「１：ＷＥＢ登録」であるかを判断する（判断Ｓ７０９）。
【０１６３】
判断Ｓ７０９において、「ＷＥＢ登録」ではなく、「自装置登録」である場合には（判断Ｓ７０９のＮｏ）、処理を終了するが、「ＷＥＢ登録」である場合には（判断Ｓ７０９のＹｅｓ）、テーブル５ａまたは５ｂにおいて対応する登録有無フラグＦｕを０にリセットした上で（処理Ｓ７１０）、処理を終了する。
【０１６４】
それにより、ＷＥＢ登録により登録された短縮ダイヤルやワンタッチダイヤルは、使用後、つまり、対応する短縮番号やワンタッチキー番号を指定した原稿文書データの送信が正常に終了した後には、テーブル５ａや５ｂから遅滞なく登録抹消され、新たな「自装置登録」または「ＷＥＢ登録」の対象とすることができ、多数のユーザからの「ＷＥＢ登録」によりワンタッチダイヤルや短縮ダイヤルの登録件数が限界（２０件や９９件）になってしまうことがなく、多くのユーザからの「ＷＥＢ登録」を受け入れることが可能となる。
【０１６５】
図１６に、ファクシミリ装置１におけるＷｅｂ登録管理処理手順について示す。なお、図１６に示す処理手順は登録管理手段に相当し、また、図１２及び図１４にそれぞれ示した処理手順は、登録管理手段に相当する処理手順を一部含む。
【０１６６】
同図において、まず、時計回路７から読み出した現在時刻を確認し、短縮ダイヤルテーブル５ａ及びワンタッチダイヤル登録テーブル５ｂにおいて各管理番号に対応して登録されている「登録有無フラグＦｕ」及び「登録種別フラグＦｓ」を参照することにより、「登録有り」でかつ「ＷＥＢ登録」である管理番号のレコードの全てについて、「登録日時」を参照する（処理Ｓ８０２）。
【０１６７】
そして、登録されてから一定時間（例えば２時間）経過したレコードの有無を確認し（処理Ｓ８０３）、一定時間経過したレコードがない場合には（判断Ｓ８０４のＮｏ）、処理Ｓ８０１に戻るが、一定時間経過したレコードがある場合には（判断Ｓ８０４のＹｅｓ）、該当するレコードに対応する「登録有無フラグＦｕ」を０にリセットした上で（処理Ｓ８０５）、処理Ｓ８０１に戻る。
【０１６８】
これにより、ワンタッチダイヤルや短縮ダイヤルに「ＷＥＢ登録」された宛先が図１３及び図１４の送信処理において使用されず、永久に登録されたままのこることがなく、新たな「自装置登録」や「ＷＥＢ登録」による宛先の登録に供することが可能となる。
【０１６９】
なお、処理Ｓ８０３における「一定時間」は、「ＷＥＢ登録」するユーザ数が多いのに長く設定すると登録件数が満杯になってしまうおそれがあり、「ＷＥＢ登録」するユーザ数が少ないのに短く設定すると登録可能件数を有効利用できないことになるため、「ＷＥＢ登録」を利用すると見込まれるユーザ数に応じて「一定時間」を任意に設定できるように構成してもよい。
【０１７０】
なお、以上説明した本発明を実施するための最良の形態においては、相手先装置を特定するための宛先識別情報がファクシミリ番号、つまり、相手先装置に対してＰＳＴＮやＩＳＤＮなどの公衆網を介してＧ３ファクシミリプロトコルやＧ４ファクシミリプロトコルにより原稿文書データの送信をする場合に本発明を適用したが、本発明は、宛先識別情報の形式により限定されるものではなく、例えばインターネットなどのＴＣＰ・ＵＤＰ／ＩＰネットワークを介して電子メール形式により原稿文書データを相手先装置に送信するために電子メールアドレスが宛先識別情報となる場合や、ＩＰアドレスやそれに対応するホスト名の文字列が宛先識別情報となる場合についても本発明を同様に適用できことはいうまでもないことである。
【０１７１】
また、以上説明した本発明を実施するための最良の形態においては、宛先識別情報（ファクシミリ番号）の間接的な指定形態として、短縮ダイヤル、つまり、［短縮］キー８ｉの押下と短縮番号の入力による指定、及び、ワンタッチダイヤル、つまり、ワンタッチキー群８ｈを構成するいずれかのキーの押下による指定の２つの指定形態を例に説明したが、本発明は、それに限らず、タッチパネルの所定の領域へのタッチ操作、マウスカーソルを画面の所定位置に移動させた上でのマウスボタンのクリック操作などの所定の宛先指定操作に対応して予め登録された宛先識別情報を特定するようなその他の形態の登録ダイヤルに対しても同様に適用可能なものである。
【０１７２】
また、以上説明した本発明を実施するための最良の形態においては、ファクシミリ装置１と各ＰＣ１０１との間の「ＷＥＢ登録」に関するやりとりをＨＴＴＰプロトコルによるＨＴＭＬ文書ファイルのやりとりを主体として行う場合に本発明を適用したが、本発明はそれに限らず、独自のプロトコルにより独自形式の情報をやりとりにより「ＷＥＢ登録」を行う場合についても同様に適用可能なものである。
【図面の簡単な説明】
【０１７３】
【図１】本発明を実施するための最良の形態に係るファクシミリ装置を含む通信システム構成について示す図である。
【図２】本発明を実施するための最良の形態に係るファクシミリ装置のブロック構成について示す図である。
【図３】本発明を実施するための最良の形態に係るファクシミリ装置の操作表示部の配置構成について示す図である。
【図４】本発明を実施するための最良の形態に係るファクシミリ装置におけるプロトコルスタックについて示す図である。
【図５】本発明を実施するための最良の形態に係るファクシミリ装置のＥＥＰＲＯＭの記憶内容について示す図である。
【図６】短縮ダイヤル登録テーブルの具体的な内容について示す図である。
【図７】ワンタッチダイヤル登録テーブルの具体的な内容について示す図である。
【図８】パーソナルコンピュータ（ＰＣ）のブロック構成について示す図である。
【図９】ＰＣにおけるプロトコルスタックについて示す図である。
【図１０】本発明を実施するための最良の形態に係るファクシミリ装置とＰＣとの間の宛先Ｗｅｂ登録関連のやりとりについて示すフローチャートである。
【図１１】図１０と共に、本発明を実施するための最良の形態に係るファクシミリ装置とＰＣとの間の宛先Ｗｅｂ登録関連のやりとりについて示すフローチャートである。
【図１２】図１０及び図１１と共に、本発明を実施するための最良の形態に係るファクシミリ装置とＰＣとの間の宛先Ｗｅｂ登録関連のやりとりについて示すフローチャートである。
【図１３】本発明を実施するための最良の形態に係るファクシミリ装置における送信処理手順について示すフローチャートである。
【図１４】図１３と共に、本発明を実施するための最良の形態に係るファクシミリ装置における送信処理手順について示すフローチャートである。
【図１５】図１３の処理手順における表示例について示す図である。
【図１６】本発明を実施するための最良の形態に係るファクシミリ装置におけるＷｅｂ登録管理処理手順について示すフローチャートである。
【図１７】宛先Ｗｅｂ登録用フォーム（１件）のＨＴＭＬ文書例（ａ）及びその表示例（ｂ）について示す図である。
【図１８】宛先Ｗｅｂ登録用フォーム（複数件）のＨＴＭＬ文書例（ａ）及びその表示例（ｂ）について示す図である。
【図１９】図１８に示したものの変形例について示す図である。
【図２０】短縮ダイヤルの登録完了通知（１件）のＨＴＭＬ文書例（ａ）及びその表示例（ｂ）について示す図である。
【図２１】ワンタッチダイヤルの登録完了通知（１件）のＨＴＭＬ文書例（ａ）及びその表示例（ｂ）について示す図である。
【図２２】ワンタッチダイヤルの登録完了通知（複数件）のＨＴＭＬ文書の表示例について示す図である。
【図２３】短縮ダイヤルの登録不可通知のＨＴＭＬ文書例（ａ）及びその表示例（ｂ）について示す図である。
【図２４】短縮ダイヤルの登録不可通知のＨＴＭＬ文書例（ａ）及びその表示例（ｂ）について示す図である。
【図２５】短縮ダイヤルの入力エラー通知のＨＴＭＬ文書例の表示例について示す図である。
【符号の説明】
【０１７４】
１  ファクシミリ装置
１００  ＬＡＮ
１０１ａ、ｂ、ｃ  パーソナルコンピュータ
２００  ＰＳＴＮ
２０１  ファクシミリ装置
３００  ＩＳＤＮ
３０１  ファクシミリ装置
【図１】
2005109613.tif 000003
【図２】
2005109613.tif 000004
【図３】
2005109613.tif 000005
【図４】
2005109613.tif 000006
【図５】
2005109613.tif 000007
【図６】
2005109613.tif 000008
【図７】
2005109613.tif 000009
【図８】
2005109613.tif 000010
【図９】
2005109613.tif 000011
【図１０】
2005109613.tif 000012
【図１１】
2005109613.tif 000013
【図１２】
2005109613.tif 000014
【図１３】
2005109613.tif 000015
【図１４】
2005109613.tif 000016
【図１５】
2005109613.tif 000017
【図１６】
2005109613.tif 000018
【図１７】
2005109613.tif 000019
【図１８】
2005109613.tif 000020
【図１９】
2005109613.tif 000021
【図２０】
2005109613.tif 000022
【図２１】
2005109613.tif 000023
【図２２】
2005109613.tif 000024
【図２３】
2005109613.tif 000025
【図２４】
2005109613.tif 000026
【図２５】
2005109613.tif 000027